Podtech/llm-jp-corpus-v4-ja_patent huggingface dataset:
(57)【要約】      （修正有）【課題】汚れ防止を目的とした使い捨て靴下が数多く提供されてはいるが、履くのに手間がかかり、見た目に違和感があることなど問題点があった。そのため、より良いものが望まれていた。本考案は、履くときの手間、違和感のある見た目、を無くすことである。【解決手段】本考案は、足型に切り抜いたシートを靴下接地面、又は靴、スリッパ等履物の内側に貼り付けることとした。 【選択図】図１
0003115877.tif 000002
【実用新案登録請求の範囲】
【請求項１】
靴下接地面に貼り付ける使い捨ての汚れ防止シート
【請求項２】
靴やスリッパ等履物の内側に貼り付ける使い捨ての汚れ防止シート
【考案の詳細な説明】
【技術分野】
【０００１】
本考案は、靴下接地面又は履物の内側に貼り付ける使い捨て汚れ防止シートに関するものである。
【背景技術】
【０００２】
現在靴下は日常的に履かれ、大抵一日同じ物を使用することが多い。
しかし、生活や仕事のシーンにおいて靴下で他人の家や施設、時には汚れた場所に入るにもかかわらずそのまま汚れた同じ靴下を使用してしまうことも多い。これは見た目も衛生上も好ましくない。
そのため、汚れ防止を目的とした使い捨て靴下が数多く提供されてはいるが、履くのに手間がかかり、見た目に違和感があることなど問題点があった。
そのため、より良いものが望まれていた。
【特許文献１】特開平１０−３３１００４
【考案の開示】
【考案が解決しようとする課題】
【０００３】
現在提供されている製品は、履くのに手間がかかり、見た目に違和感があることなど問題点があった。
本考案が解決しようとする課題は、履くときの手間、違和感のある見た目、を無くすことである。
【課題を解決するための手段】
【０００４】
本考案は、足型に切り抜いたシートを靴下接地面、又は靴、スリッパ等履物の内側に貼り付けることにより解決した。
【考案の効果】
【０００５】
本考案のシートは、靴下接地面、又は靴、スリッパ等履物の内側に貼り付けるだけなので手間がかからず汚れを防止し、さらに通常の靴下と見た目の区別がつかず違和感が無い。
【考案を実施するための最良の形態】
【０００６】
本考案は、シートを足型に切り抜き靴下接地面、又は靴,スリッパ等履物の内側に貼り付けることにより解決した。
【実施例１】
【０００７】
本考案品は、シートを足型に切り抜き靴下接地面、又は靴,スリッパ等履物の内側に貼り付け使用するものである。
材質は、不織布等、貼り付けたあとでも通常の生活や仕事を行った場合に磨耗に耐える材質を使用する。
シートと靴下又は靴,スリッパ等の間に使用する接着剤は、靴下や靴、スリッパ等の履物によく密着し使用中剥がれないが素肌や床、靴スリッパに浸透せず、使用後剥がしたあとでも靴下や床がべとつかないものを使用する。
シートの接着面には剥離紙を付し使用を容易にした仕様もある。
【０００８】
他人宅や施設など靴を脱ぎ靴下を使用する場面で本考案のシートを靴下接地面に貼り付ける。
使用後は、シートを剥がすことにより清潔な靴下が保たれる。
【０００９】
施設や旅館,病院,などにおいてに本考案のシートを靴やスリッパ等の内側に貼り付け使用することにより清掃を容易にする。
【産業上の利用可能性】
【００１０】
本考案品は、他人宅へ訪問するとき、靴を脱ぎ入場する施設、不特定多数の人が使用する靴やスリッパを使用する場面などで使いやすく安価でかつ使い捨てのため幅広く活用できる。例えば、個人が他人宅へ訪問、訪問介護業務、寺院や遊戯施設、においてスリッパの代わりとして、店舗、施設、病院、ボーリング場等で靴やスリッパの内側にあらかじめ貼り付け清掃を容易にすること等が考えられる。
【図面の簡単な説明】
【００１１】
【図１】本考案実施例の全体の外観図である。
【図２】本考案正面断面図である。
【図３】本考案側面断面図である。
【符号の説明】
【００１２】
１    本体
２    接着剤
３    剥離紙
【図１】
0003115877.tif 000003
【図２】
0003115877.tif 000004
【図３】
0003115877.tif 000005
(57)【要約】【課題】従来の自転車がクランクペダルで走行するのは基本的に駆動力を弱めると云う欠点があるので中空の長いペダルレバーを後輪に具えて上下往復運動によって高い効率で走行する自転車を提供する。【解決手段】長い中空のペダルレバー元部にフリーホイールを設けて直接後輪主軸に据付けて、大きな内歯車を利用し平歯車を用いて後輪の回転数を調整可能にし、レバーが上下に往復運動するように装置して走行する自転車。【選択図】図１
0003115853.tif 000002
【実用新案登録請求の範囲】
【請求項１】
フリーホイールを元部に備え、先端にペダルを具え上下枠で中空にしたレバーを、後輪主軸に回転自在に嵌め合わされたパイプの両端に左右のフリーホイールで据え付けて、一方のレバーの内側に内歯車を該パイプに固着し、該内歯車に内接回転する平歯車は中間に遊び歯車を通して後輪と固着している平歯車に接続回転するように設備し、該後輪と固着している平歯車は該パイプと自在に接続回転するように嵌め合わし、左右の中空レバーは自転車本体部に設けるプーリーを介してベルトによって連結された構造をもつ自転車。
【考案の詳細な説明】
【技術分野】
【０００１】
本考案は左右の長い中空のペダルレバーを上下に往復運動することで、効率の良い駆動力によって軽快に走行する自転車に関する。
【背景技術】
【０００２】
従来のクランクによって走行する自転車は駆動力が弱く、又電動による補助駆動装置も重く、バッテリーの充電をしなければならず、基本的にクランクによって駆動する自転車は効率が良くないと云う欠点がある。
【考案の開示】
【考案が解決しようとする課題】
【０００３】
自転車においてペダルレバーを長くして往復運動した場合はクランク運動よりも効率は良くなるが、上下往復運動の距離を長く規定しなければ後部車輪の回転数が少ないと言う不具合が生じる。この点を改善するのには高効率を保ちながら後輪の回転比率を良くする必要がある。
【課題を解決するための手段】
【０００４】
上記の諸課題を解決するために従来の自転車にあるクランク機構に換えて、元部にフリーホイールを具えた長い中空のペダルレバーを後輪主軸に自在に嵌め合わされたパイプに左右両端にフリーホイールで据え付けて、一方のペダルレバーの内側に内歯車を該パイプに固着し該内歯車に、平歯車を内接連結し、該平歯車に噛み合う遊び歯車を連結接続し、さらに該遊び歯車と噛み合い連結接続する平歯車は後輪と固着させてパイプと自在にはめ合うように設備する。左右のペダルレバーは自転車本体部に設けたプーリーに接続するベルトを介して連結する。該ベルトによって、ペダルレバーが上下往復するとフリーホイールによって左右交互に後輪主軸に嵌め合わされたパイプを自転車の前方向に回転させ、該パイプに固着している内歯車も前方に回転するので、該内歯車に内接して噛み合う平歯車も前方に回転する。該平歯車に噛み合う遊び歯車は後方向に回転し、該遊び歯車と噛み合っている後輪と固着している平歯車は前方に回転し、同じく後輪は前方に回転し自転車は走行する。内歯車の大きさと平歯車の歯数比によって、後輪の回転数が変化し、ペダルレバーの長さによって効率の良い駆動力が得られ中空のレバーは上下運動で車体本体部が障害とならないようになって課題の解決を計る。
【考案の効果】
【０００５】
本考案は上記の構成、実施例によって従来のクランクによる自転車では不可能な駆動力を得ることが出来、又ペダルレバーを具えた場合の不具合な問題を除去した機構を装置して、長い中空のペダルレバーが上下往復運動することで自転車本体の障害となることなく高率な駆動力によって走行する自転車が提供される。
【実施例】
【０００６】
図面を参照して説明すると、図１に示すように上下に枠を設けて中空の長いレバー（１）、（１’）の先端にペダル（２）、（２’）を設けて元部にフリーホイール（７）、（７’）を前進方向に駆動回転し、後方向には空回りするように具え付けて、後輪主軸（１０）に自在に回転するように嵌め合わされたパイプ（１３）の左右両側面にフリーホイール（７）、（７'）を据付け、フリーホイール（７）の内側に内歯車（３）をパイプ（１３）に固着する。該内歯車（３）に内接して連結する平歯車（４）は遊び歯車（５）と接続連結し、該遊び歯車（５）は平歯（６）と接続連結し、該平歯車（６）は後輪（１２）と固着してパイプ（１３）に自在に回転するように嵌め合わされる。車体本体部（１１）によって、平歯車（４）及び遊び歯車（５）は支持されている。レバー（１）、（１’）は車体本体部（１１）に設けられたプーリー（８）によってベルト（９）を介して中間部で連結し、上下往復運動が可能となる。ペダル（２）を踏んでレバー（１）を押し下げるとフリーホイール（７）は前方向に回転するのでパイプ（１３）に固着している内歯車（３）は前方向に回転して駆動力を伝える。該内歯車（３）に内接連結している平歯車（４）は同じく前方向に回転し、遊び歯車（５）は後方向に回転するので、平歯車（６）は前方向に回転し、該平歯車（６）と固着する後輪（１２）は前方向に回転し、自転車は前進走行する。レバー（１）が押し下げられると、レバー（１’）はプーリー（８）でベルト（９）を介して押し上げられ、フリーホイール（７’）は空回りするので他には何も影響を与えない。次にペダル（２’）を踏んでレバー（１’）を押し下げると、フリーホイール（７’）は前方に回転してパイプ（１３）に固着している内歯車（３）を前方に回転させて、駆動力を伝え、該内歯車（３）に内接連結している平歯車（４）を同方向に回転させ、遊び歯車（５）を介して同じように平歯車（６）を前方向に回転させて、該平歯車（６）に固着している後輪（１２）を前方向に回転させ自転車は前方に走行する。この時レバー（１）は押し上げられるが、フリーホイール（７）は空転するので他に全く影響を与えない。このレバー（１）、（１’）の交互往復運動を繰り返すことで、駆動力を後輪（１２）に与えて自転車は前進走行する。
【産業上の利用可能性】
【０００７】
レバーの長さと内歯車の大きさ、平歯車の歯車比を変化させることで、最適の自転車走行が可能となる。
【図面の簡単な説明】
【０００８】
【図１】実用新案登録請求の範囲請求項１の基本となる側面図である。
【図２】上記請求項１の平面図である。
【図３】上記請求項１の実施態様図である。
【符号の説明】
【０００９】
１、１’  レバー
２、２’  ペダル
３        内歯車
４        平歯車
５        遊び歯車
６        平歯車
７、７’  フリーホイール
８        プーリー
９        ベルト                  
１０      後輪主軸  
１１      車体本体部
１２      車輪
１３      パイプ
【図１】
0003115853.tif 000003
【図２】
0003115853.tif 000004
【図３】
0003115853.tif 000005
(57)【要約】      （修正有）【課題】茶器に少量の抹茶でも定量の整えに見える抹茶底上げ器具を提供する。【解決手段】抹茶の滑りを減少させるため表面に微細な凹凸を設けた中空の半円柱の抹茶底上げ器具２を茶器１に収納して使用する。抹茶の篩い作業、形の整えが短時間になり労力と時間の節約と、抹茶の無駄にならない使用となる。【選択図】図１
0003115890.tif 000002
【実用新案登録請求の範囲】
【請求項１】
茶器の形状に合わせ、表面に微細な凹凸を設けた中空の半円柱の底上げ用器具を茶器の中に収納することで、抹茶の少ない量で茶器の抹茶収納量が定量と見えるところを特徴とする茶器の抹茶底上げ器具。
【考案の詳細な説明】
【技術分野】
【０００１】
本考案は茶器の抹茶収納量が定量に見える茶器の抹茶底上げ器具に関するものである。
【背景技術】
【０００２】
茶会、稽古において茶器への抹茶収納は多人数のお客でも、少人数のお客でも常に定量を形良く整えなければならないため、少人数でも茶器の大きさに合わせた定量の抹茶が必要で、茶器に合わせた型を整えなければならなかった。
【考案の開示】
【考案が解決しようとする課題】
【０００３】
茶会、稽古等の茶道の準備は時間の無い制約の中で、抹茶篩いは一番の手間と時間が掛かる作業であり、篩った抹茶を茶器、棗等に収納する型作りは神経を使う作業である。少人数のお客でも茶器への抹茶の量は定量必要で、見た目も重要な茶道では茶器に篩った抹茶の定量と型が重要である。抹茶の底上げ器具で少人数でも抹茶を定量で形良く容易に整えられることにより前述の問題点を解決しようとするものである。
【課題を解決するための手段】
【０００４】
本考案は、茶器の形状に合わせ表面に微細な凹凸を設けた中空で半円柱の抹茶底上げ器具の使用で、少人数のお客でも少量の抹茶で茶器に合わせた抹茶の定量と見え、茶器の抹茶収納の型を容易に整えられることで問題点を解決している。
【考案の効果】
【０００５】
茶会、稽古等の準備の中で抹茶篩いと篩った抹茶を茶器に収納する型作りは一番の手間と時間が掛かる神経を使う作業である。少人数の客でも同じ労力を必要とするが抹茶底上げ器具を使うことで、抹茶の量は少なくてもお客に対して定量で形良く見え違和感を持たせないことにより労力、時間の節約に役立つ。特に少人数の稽古の準備作業の軽減と抹茶を無駄なく使用できることに役立つ。
【考案を実施するための最良の形態】
【０００６】
半円柱の抹茶底上げ器具は中空で重量は軽く、プラスッチク、木等適宜素材にて形成され、抹茶底上げ器具の表面は微細な凹凸を有し抹茶の滑りを減少させ形をと整えることが容易になる。
【実施例】
【０００７】
以下、添付図面に従って一実施例を説明する。茶器１内へ表面に微細な凹凸を設けた中空の半円柱の抹茶底上げ器具２を装着し抹茶３の形を整え入れると定量に見える。
【図面の簡単な説明】
【０００８】
【図１】本考案の抹茶底上げ器具の一実施例を示す立体斜視図である。
【図２】本抹茶底上げ器具立体斜視図である。
【図３】本抹茶底上げ器具利用の断面図である。
【符号の説明】
【０００９】
１  茶器
２  抹茶底上げ器具
３  抹茶
【図１】
0003115890.tif 000003
【図２】
0003115890.tif 000004
【図３】
0003115890.tif 000005
【手続補正書】
【提出日】平成17年9月7日(2005.9.7)
【手続補正２】
【補正対象書類名】実用新案登録請求の範囲
【補正対象項目名】全文
【補正方法】変更
【補正の内容】
【実用新案登録請求の範囲】
【請求項１】
茶器の形状に合わせ、表面に微細な凹凸を設けた中空の半円柱を特徴とする茶器の抹茶底上げ器具。
【手続補正３】
【補正対象書類名】明細書
【補正対象項目名】０００６
【補正方法】変更
【補正の内容】
【０００６】
半円柱の抹茶底上げ器具は中空で重量は軽く、プラスッチク、木等適宜素材にて形成され、抹茶底上げ器具の表面は微細な凹凸を有し抹茶の滑りを減少させ形を整えることが容易になる。
(57)【要約】      （修正有）【課題】漏斗内に篩器を内蔵し一体化することで短時間に抹茶が篩え、同時に茶器に篩った抹茶の収納と形を容易に整えられ、篩う作業と篩った抹茶の移し替え作業の労力と時間が一度の作業で完結する抹茶篩器の提供。【解決手段】漏斗１内に着脱自在の丸型篩網３を設置し、漏斗取っ手２を持って振動させることにより、漏斗の上部より投入された抹茶を篩い、均一粉体となり、漏斗上部４と漏斗出口５が逆円錐の直線で形成されているため、滑らかに茶器６へ篩った抹茶が直接落下する。尚、漏斗を振動させる際にヘラ、ブラシ等で掻き混ぜ押下すると短時間の作業となる。労力と時間の節約となり難しい作業から開放される。【選択図】図１
0003115889.tif 000002
【実用新案登録請求の範囲】
【請求項１】
漏斗上部と漏斗出口が逆円錐の直線で形成されている取っ手付き漏斗内に着脱自在の丸型篩網を設置したことを特徴とする篩網内蔵漏斗型抹茶篩器。
【考案の詳細な説明】
【技術分野】
【０００１】
本考案は抹茶の篩い作業と篩った抹茶の移し替え作業の労力、時間を軽減するために、漏斗上部と漏斗出口が逆円錐の直線で形成されている取っ手付き漏斗内に着脱自在の丸型篩網を設置した抹茶篩器に関するものである。
【背景技術】
【０００２】
従来、抹茶を篩うときはヘラで篩器の金網と抹茶をすり合わせ時間をかけて抹茶を篩い、篩った抹茶を容器に保管後、茶器、棗等に篩った抹茶を移し替え、抹茶の型を整えなければならなかった。
【０００３】
【特許文献１】特開２００２−３６０４３１号公報
【０００４】
【特許文献２】特開平１１−７００４５号公報
【０００５】
【特許文献３】特開平０５−５６７４８号公報
【０００６】
【特許文献４】登録実用新案３００３７６３号公報
【考案の開示】
【考案が解決しようとする課題】
【０００７】
茶会、稽古等の茶道の準備は時間の無い制約の中で、抹茶篩いは一番の手間と時間が掛かる作業であり、篩った抹茶を茶器、棗等に収納する型作りは神経を使う作業である。従って、漏斗に篩網を内蔵することにより短時間で抹茶が篩え、同時に茶器、棗等に篩った抹茶の収納と型を容易に整えられ前述の欠点を解決しようとするものである。
【課題を解決するための手段】
【０００８】
本考案は取っ手付き漏斗内に着脱自在の丸型篩網を設置し、漏斗の上部より抹茶が投入されると、取っ手を持って漏斗を振動させると投入された抹茶を篩い、均一の粉体となり篩った抹茶が漏斗上部と漏斗出口が逆円錐の直線で形成されている漏斗のため、滑らかに直接、茶器、棗等の容器に落下する。尚、漏斗を振動させる際にヘラ、ブラシ、球体等で掻き混ぜ押下すると短時間の作業となる。篩う作業と篩った抹茶の移し替え作業の労力と時間の問題点を解決している。
【考案の効果】
【０００９】
茶会、稽古等の準備の中で抹茶篩いは一番の手間と時間掛かる作業で、篩った抹茶を茶器、棗等に収納する型作りは神経を使う作業である。漏斗と篩器を一体にすることで、抹茶篩いと茶器への抹茶収納が一度の作業で同時にできることは労力と時間の節約となり難しい作業から開放される精神的安心感を持ち、茶会、稽古等の準備がスムースに進行することに役立つ。
【考案を実施するための最良の形態】
【００１０】
取っ手付き漏斗内に着脱自在の丸型篩網を設置し、取っ手を持って漏斗を振動させることで投入された抹茶を篩い、均一粉体となり篩った抹茶が漏斗上部と漏斗出口が逆円錐の直線で形成されている漏斗のため、滑らかに直接、茶器、棗等の容器に落下する。尚、漏斗を振動させる際にヘラ、ブラシ体等で掻き混ぜ押下すると短時間の作業となる。
【実施例】
【００１１】
以下、添付図面に従って一実施例を説明する。漏斗１内に着脱自在の丸型篩網３を設置し、漏斗取っ手２を持って振動させることにより、漏斗の上部より投入された抹茶を篩い、均一粉体となり、漏斗上部４と漏斗出口５が逆円錐の直線で形成されているため、滑らかに茶器６へ篩った抹茶が直接落下する。尚、漏斗を振動させる際にヘラ、ブラシ等で掻き混ぜ押下すると短時間の作業となる。
【図面の簡単な説明】
【００１２】
【図１】本考案の篩網内蔵漏斗型抹茶篩器の一実施例を示す立体斜視図である。
【図２】)本篩網内蔵漏斗型篩器の断面図である
【符号の説明】
【００１３】
１  漏斗
２  漏斗取っ手
３  丸型篩網
４  漏斗上部
５  漏斗出口
６  茶器
【図１】
0003115889.tif 000003
【図２】
0003115889.tif 000004
(57)【要約】【課題】葬儀の際に従来お棺には宗紋を残す習慣がなく、自分の宗派が分らないことが多かったので、お棺に宗紋を貼ることによって自分の家系の宗派を確認し、それを後世に伝えられる。【解決手段】お棺本体中央１にカティングシートの宗紋３を貼ることによって、自分家系の宗派がはっきり確認できる。【選択図】図１
0003115200.tif 000002
【実用新案登録請求の範囲】
【請求項１】
カッティングシートの宗紋をお棺の中央に貼ることにより、自分の家系の宗派を確認し、それを後世に伝えることができる。
【考案の詳細な説明】
【考案の開示】
【考案が解決しようとする課題】
【０００１】従来お棺には宗紋を残す習慣がなかったため、普段自分の家系の宗派も分らないことが多く、身近に感じられなかった。
【課題を解決するための手段】
【０００２】お棺本体１の中央部分に、カッティングシートで直径２５センチサイズの各宗派の宗紋３を貼る。
【考案の効果】
【０００３】葬儀の際に親族がこのお棺を見ることによって、自分の家系の宗派が確認でき、自分の宗派を身近に感じられ、それを後世に伝えることができる。
【図面の簡単な説明】
【０００４】
【図１】  お棺に考案した宗紋を貼り付けた状態を示した斜視図
【符号の説明】
【０００５】  １  お棺本体
２  念仏
３  宗紋
【図１】
0003115200.tif 000003
【手続補正書】
【提出日】平成16年9月22日(2004.9.22)
【手続補正１】
【補正対象書類名】実用新案登録請求の範囲
【補正対象項目名】全文
【補正方法】変更
【補正の内容】
【実用新案登録請求の範囲】
【請求項１】
宗紋を表すカッティングシートを中央に貼ったことを特徴とするお棺
(57)【要約】      （修正有）【課題】従来の屋外駐車用日よけ装置は狭い車内での脱着作業の煩わしさと、また車体全体に陽光が直接にあたり、室内への断熱効果が弱いという問題が解決されていない。【解決手段】外断熱法の利点を得る為、車体を外側から包む遮熱シート１を強力磁石２の吸着力で定着させる。更にソフトに折りたためるというシート材の特性を活かし、装着と収納の作業を容易にした。【選択図】図３
0003115199.tif 000002
【実用新案登録請求の範囲】
【請求項１】
ソフトな遮熱シート（１）と磁石（２）とを組み合わせ、磁力の吸着のみで車体の外側から包み込む屋外駐車用の日よけ装置。
【請求項２】
不用時にも取り外す事なく、車体の屋根面上に折りたたみ収納したままで走行出来る
【請求項１】
記載の日よけ装置。
【考案の詳細な説明】
【考案の開示】
【考案が解決しようとする課題】
【０００１】本案は普通乗用車及びそれ以下の車高の低い車種を対象としている。
炎天下での屋外駐車用の日よけ装置は、既に多種商品化されているが、それらはいずれも車内で取り付ける方法であり、狭い車内での装置の脱着作業の煩わしさと、車体全体に陽光が直接にあたる為、断熱効果が弱いという問題が解決されていない。
【課題を解決するための手段】
【０００２】上記の問題解決の為、車体を外側から包む遮熱シートを強力磁石で吸着させ、更にソフトに折りたためるというシート材の特性を活かし、脱着作業を容易にした。
尚、シートのサイズは大・中・小のバリエーションで各車種に対応する。
【考案の効果】
【０００３】・外断熱法で従来の室内型より断熱効果が向上する。
・車外での装着作業であることで、短時間での装着や収納が可能。
・不用時にも取り外す事なく、車体の屋根面上に折りたたみ、磁力の吸着のみで定着したまま高速走行も可能である。
【その他の考慮】
【０００４】磁力のみで車体外面に定着される本装置は脱着が容易という利点の反面、盗難の危惧があり、これに対処する為、日よけシートと車体の一部とを金属製ベルト（刃物で切断しにくい素材）で連結する手段も講じている。同時に、この手段は台風レベルの強風時のシートの保持にも有効である。
【図面の簡単な説明】
【０００５】
【図１】    遮熱シート全体の平面展開図である。
【図２】    シートを装着した姿図である。（図−Ａ＝平面図、図−Ｂ＝側面図）
【図３】    不用時の収納手段（使用時は逆手順）を示す斜視図である。
【符号の説明】
【０００６】１          遮熱シート（アルミコーティング等の熱反射効率の良い布材）
２          市販の板状フェライト磁石（磁力≒１，８００ガウス×１０ヶ所）
３          マジックバンド（収納時に使用）２ヶ所
４          盗難防止用フック付ステンレスバンド（×印は締付ボルト）
５          ４を通すシート面のハト目穴（２ヶ所）
６          収納時の折りたたみ線
【図１】
0003115199.tif 000003
【図２】
0003115199.tif 000004
【図３】
0003115199.tif 000005
【手続補正書】
【提出日】平成16年6月15日(2004.6.15)
【手続補正１】
【補正対象書類名】実用新案登録請求の範囲
【補正対象項目名】全文
【補正方法】変更
【補正の内容】
【実用新案登録請求の範囲】
【請求項１】
ソフトな遮熱シート（１）と磁石（２）とを組み合わせ、磁力の吸着のみで車体の外側から包み込む屋外駐車用の日よけ装置。
(57)【要約】【課題】  固定角度を自在に回転させ、回転が大きすぎても倒れない乗用玩具の車輪ユニット回転構造を提供する。【解決手段】  車体中管１、車輪軸管２、パッド３、チューブ４及び固定部品５を含む。車体中管１の後段にリング板１１が設置され、リング板１１に固定孔１１１が成形される。固定孔１１１はネジ孔である。また車輪軸管２の中段に受筒２１を設置し、受筒２１の一端にもリング板２１１を固定する。このリング板２１１は穿孔で、そこにチューブ４を通す。チューブ４は中空で、中空部に固定部品５を入れる。固定部品５はネジ栓である。固定部品５をチューブ４に入れ、車体中管１の後段にあるリング板１１の固定孔１１１に螺合して固定する。、自在に固定角度に回転可能で、回転角度が大きすぎても倒れず、更に構造が簡単でコストも下がるという利点がある。【選択図】    図１
0003115181.tif 000002
【実用新案登録請求の範囲】
【請求項１】
車体中管、車輪軸管、パッド、チューブ及び固定部品から構成された乗用玩具の車輪ユニット回転構造であって、
車体中管は、後段にはリング板が設置され、リング板には固定孔が成形され、
車輪軸管は、中段には受筒が設置され、受筒一端にもリング板が設置され、且つリング板には穿孔が設置され、穿孔にチューブを入れられ、
パッドは、穿孔を設置して、そこにチューブが通され、
チューブは、中空であり、その中空部に固定部品を入れられ、
固定部品をチューブに通し、車体中管のリング板の固定孔に対応させて固定されていることを特徴とする乗用玩具の車輪ユニット回転構造。
【請求項２】
前記車体中管の固定孔は、ネジ孔であり、固定部品はネジ栓であることを特徴とする請求項１記載の乗用玩具の車輪ユニット回転構造。
【考案の詳細な説明】
【技術分野】
【０００１】
本考案は、乗用玩具の車輪ユニット回転構造に関し、特に固定角度を自在に回転させ、回転が大きすぎても倒れない構造に関する。
【背景技術】
【０００２】
従来の乗用玩具は、両前輪もしくは両後輪採用である。
【考案の開示】
【考案が解決しようとする課題】
【０００３】
しかしながら上述の乗用玩具は、両前輪もしくは両後輪採用であるが、片輪方向転換構造であるため、方向転換が大きすぎると、両輪のうちのひとつ(外側輪)が宙に浮き、バランスを失って倒れてしまうことがよくある。そのため、実際には角度を変えるのは安全範囲内出なければならない。
【０００４】
この外、二輪ユニットが平らでない道を通る時、一面が持ち上がり、車体も傾斜する。前述の通り、安全でない他に、車体が左右に揺れるため、気分が悪くなりやすい。
【０００５】
本考案により解決しようとする問題点は、方向転換の際、バランスを失って倒れてしまい、安全でない点である。
【０００６】
したがって本考案の目的は、固定角度を自在に回転させ、回転が大きすぎても倒れない乗用玩具の車輪ユニット回転構造を提供することにある。
【課題を解決するための手段】
【０００７】
上述の目的を達成するために、本考案の請求項に記載の乗用玩具の車輪ユニット回転構造は、車体中管、車輪軸管、パッド、チューブ及び固定部品を含む。車体中管の後段にリング板が設置され、リング板に固定孔が成形される。この固定孔はネジ孔である。また車輪軸管の中段に受筒を設置し、受筒の一端にもリング板を固定する。このリング板は穿孔で、そこにチューブを通す。このチューブは中空で、中空部に固定部品を入れる。固定部品はネジ栓である。これによって、固定部品をチューブに入れ、車体中管の後段にあるリング板の固定孔に螺合して固定する。
【０００８】
本考案の乗用玩具の車輪ユニット回転構造は、自在に固定角度に回転可能で、回転角度が大きすぎても倒れず、更に構造が簡単でコストも下がるという利点がある。
【考案を実施するための最良の形態】
【０００９】
以下、本考案の実施例を図面に基づいて説明する。
図１及び図２に示すように、本考案の実施例による乗用玩具の車輪ユニット回転構造は、車体中管１、車輪軸管２、パッド３、チューブ４、固定部品５及び管蓋６から構成される。そのうち、車体中管１の後部にリング板１１を設置する。リング板１１には固定孔１１１が成形され、本実施例中、固定孔１１１はネジ孔である。
【００１０】
車輪軸管２の中段には受筒２１が設置される。受筒２１一端にもリング板２１１が設置され、且つリング板２１１に穿孔２１２が成形される。穿孔２１２にチューブ４を入れる。
【００１１】
パッド３は、プラスチック材により成形され、穿孔３１が形成され、そこにチューブ４が入る。
【００１２】
チューブ４は中空でそこに固定部品５を入れる。
固定部品５は、当実施例ではネジ栓である。
管蓋６は受筒２１を塞ぐものである。
【００１３】
図３に示すように、固定部品５をチューブ４にいれ、車体中管１のリング板１１に成形された固定孔１１１に螺合し、車輪軸管２の受筒２１と車体中管１及びパッド３を相対して枢設する。また管蓋６で受筒２１を塞ぐ。このようにして車輪軸管２の受筒２１は車体中管１に相対して回転する。更にプラスチック材のパッド３は受筒２１のリング板２１１と車体中管１のリング板１１に設置され、適度な締め具合と耐摩擦を提供する。
【００１４】
図４に示すように、本実施例は、乗用玩具の後輪に応用され、使用者が方向転換もしくは平らでない路面に来た時、後輪ユニットは車体中管１に対して一定の角度範囲内において自在であり、安全に回転し、回転角度が大きくても倒れない。
【図面の簡単な説明】
【００１５】
【図１】本考案の実施例による乗用玩具の車輪ユニット回転構造を示す分解図である。
【図２】本考案の実施例による乗用玩具の車輪ユニット回転構造を示す組立図である。
【図３】本考案の実施例による乗用玩具の車輪ユニット回転構造を示す断面図である。
【図４】本考案の実施例による乗用玩具の車輪ユニット回転構造を示す図である。
【符号の説明】
【００１６】
１  車体中管、２  車輪軸管、３  パッド、４  チューブ、５  固定部品、６  管蓋、１１  リング板、２１  受筒、３１  穿孔、１１１  固定孔、２１１  リング板、２１２  穿孔
【図１】
0003115181.tif 000003
【図２】
0003115181.tif 000004
【図３】
0003115181.tif 000005
【図４】
0003115181.tif 000006
(57)【要約】      （修正有）【課題】ゴルフティーをワンタッチで挿・脱でき、操作性が良く、かつ体裁も良いゴルフキャップを提供する。【解決手段】ゴルフキャップ１の鍔部２にゴルフティーを挿・脱自在に装着可能なゴルフティー収納具３を付設して成る。【選択図】図１
0003115177.tif 000002
【実用新案登録請求の範囲】
【請求項１】
鍔部にゴルフティーを挿・脱自在に装着可能なゴルフティー収納具を付設したことを特徴とするゴルフキャップ。
【考案の詳細な説明】
【技術分野】
【０００１】
本考案は、ゴルフティーをワンタッチで挿・脱可能としたゴルフキャップに関する。
【背景技術】
【０００２】
従来より、ゴルフのティーショットに際して、ゴルフボールを一定の高さで載せるために木製、プラスチック製、ゴム製等のゴルフティーが使用されている。
【０００３】
そして、このゴルフティーは、ゴルフ場でのプレイ中、ゴルフプレイヤーのズボンのポケットに収納されるか、あるいはゴルフプレイヤーの腰ベルトに装着したティー収納具に収納されるのが一般的である。
【特許文献１】特になし
【考案の開示】
【考案が解決しようとする課題】
【０００４】
しかしながら、前記のようにゴルフティーをズボンのポケットに収納する場合は、通常ゴルフティーはティーショットに際して、折損したり、あるいは飛散により紛失することが多いため、長・短併せて多数種、多数本がバラバラに収納されるのを通例としており、その結果、所望のゴルフティーをポケットから取り出すのが難しくなっている。
【０００５】
このため、収納されているゴルフティー全部をポケットから取り出して確認し、所望のゴルフティーを選択した後、不要なゴルフティーを再びズボンのポケットに戻す等、面倒な操作を必要としている。
【０００６】
また、使用したゴルフティーはドロ、ホコリ等が付着しているため、収納したズボンのポケット内部を汚すことが多い。繰り返して使用したゴルフティーはズボンのポケットを一層汚すことになって極めて不衛生である。
【０００７】
一方、ゴルフティーをプレイヤーの腰ベルトに装着したティー収納具に収納する場合は、当該収納具を腰ベルトに装着するのが面倒である。
【０００８】
また、ゴルフティーの挿・脱操作も面倒なうえに、体裁もよくないものである。
【０００９】
本考案は、このような従来の技術が有する問題点を解消するもので、ゴルフティーをワンタッチで挿・脱でき、操作性が良く、かつ体裁も良いゴルフキャップを提供することを目的とする。
【課題を解決するための手段】
【００１０】
前記目的を達成するために、本考案に係るゴルフキャップは、鍔部にゴルフティーを挿・脱自在に装着可能なゴルフティー収納具を付設したことを特徴とする。
【考案の効果】
【００１１】
本考案は、以上のとおり構成されるのであるから、ゴルフキャップの鍔部に付設されたゴルフティー収納具に長・短いずれのゴルフティーでも一本一本ワンタッチで挿・脱自在に装着することができ、操作性が極めてよいものである。しかも、ティー装着時は、あたかもジェット戦闘機が翼の下にミサイルを抱えるような外観を呈するものとなり、体裁も頗るよいものである。
【００１２】
また、従来のように、ゴミやホコリ等の付いたゴルフティーによってズボンのポケット内部を汚すようなこともなく、極めて衛生的であり、さらに、ゴルフティー収納具を腰ベルトに装着するタイプと比べてコストも安く、かつ使い勝手もよいものである。
【考案を実施するための最良の形態】
【００１３】
以下、図面を参照して本考案を実施するための最良の一形態を詳細に説明すると、図において示される符号１はゴルフキャップ、２はその鍔部である。ゴルフキャップ１の種類は問わない。
【００１４】
符号３は、ゴルフキャップ１の鍔部２に付設されたゴルフティー収納具である。
【００１５】
このゴルフティー収納具３は、プラスチック、ビニール、ゴム製等を素材とし、軸方向へ割り溝４を形成して弾力性を付与した円筒体５から成る。
【００１６】
この円筒体５の内径は、ゴルフティー６の外径よりやや小さ目に形成され、かつその長さは長・短のゴルフティー６ａ、６ｂのいずれもが装着保持できるように形成されている。
【００１７】
このゴルフティー収納具３は、図示例では、ゴルフキャップ１の鍔部２の下面両側に間隔を置いて前後方向へ１列ずつ併せて２列にわたって、円筒体５の割り溝４を真下に向けた状態で付設されている。
【００１８】
そして、使用に際しては、図２に示すように、長いゴルフティー６ａは一列の円筒体５を２個使って挿し込み、短いゴルフティー６ｂは円筒体５に１個ずつ挿し込むこともできる。また、このゴルフティー６の挿し込みに当っては、円筒体５の先端からでも、また、割り溝４から押し込むようにしてもよい。
【００１９】
勿論、ゴルフティー収納具３の数、形状、配置状況等は図示例に限定されるものではない。例えば、図示例のように割り溝４付きの円筒体５の代りに、金属線を使ったコイルバネ体(不図示)等でもよい。また、ゴルフキャップ１の鍔部２の上面側に付設してもよい。
【００２０】
なお、図１において、符号７は、ゴルフキャップ１の鍔部２の片側に穿孔されたグリーンティー用の止め孔を示す。この止め孔７は片側に１個のみならず、反対側にも穿孔する等、複数個あってもよい。
【図面の簡単な説明】
【００２１】
【図１】本考案に係るゴルフキャップを示す背面図を示す。
【図２】同上の正面図を示す。
【図３】使用状態の一例を示す要部の斜視図である。
【符号の説明】
【００２２】
１    ゴルフキャップ
２    鍔部
３    ゴルフティー収納具
４    割り溝
５    円筒体
６    ゴルフティー
７    グリーンティー用止め孔
【図１】
0003115177.tif 000003
【図２】
0003115177.tif 000004
【図３】
0003115177.tif 000005
(57)【要約】      （修正有）【課題】腕時計のように手首に装着し手首の動作を妨げない充分な大きさであって、外部には装着用のバンドを付し、内部にはメモ用紙を挟持する挟み具を設けた筆記具容器を提供すること。【解決手段】手首に装着する充分の大きさの容器１であって外部には装着用のバンド２を付し、内部にはメモ用紙６を挟持する挟み具４を設け、容器に開閉自在に取り付けた蓋３の内面にはメモ用紙挟み込み用のネット７を設けて成る。【選択図】図１
0003115174.tif 000002
【実用新案登録請求の範囲】
【請求項１】
手首に装着する大きさの容器であって外部には装着用のバンドを付し、内部にはメモ用紙を挟持する挟み具を設け、容器に開閉自在の蓋の内面にはメモ用紙の挟み込み用のネットを設けて成る筆記具容器。
【考案の詳細な説明】
【技術分野】
【０００１】
この考案は短い記録或いは記事を記録する筆記具容器にかかわる。
【背景技術】
【０００２】
入院患者に朝方、看護師が巡回して患者の脈拍、体温或いは血圧等の数値を掌等に仮記録し、詰所で更めて記録するような短い記事を記録しておく筆記具容器の先行技術は見当らない。さらに、その筆記具容器が携帯式のものでなく、腕時計のように手首に着脱自在であることが作業上求められる。
【考案の開示】
【考案が解決しようとする課題】
【０００３】
この考案は、手首に装着する大きさの容器であって外部には装着用のバンドを付し、内部にはメモ用紙を挟持する挟み具を設けた筆記具容器を提供することにより在来の問題を解決しようとするものである。
【課題を解決するための手段】
【０００４】
この考案の課題解決手段は、手首に装着が許される範囲内の大きさの開閉蓋付き容器であって、その外部には上記装着用のバンドを付し、内部には収納するメモ用紙の挟み具と記録済みメモ用紙挟み込み部を設けたものである。
【考案の効果】
【０００５】
この考案の筆記具容器によれば、要点となる事項をメモ用紙に記し、そのメモ用紙を筆記具容器内に保存することができる上、同容器は手首に装着されているので測定作業を手早く確実とする効果がある。
【考案を実施するための最良の形態】
【０００６】
筆記具容器の形状は、メモ用紙に記載を容易に及び多くできるようにするために平面方形がよく、蓋は表面を平滑不透明にしてこの考案容器提供者の広告記載を容易にするが望ましい。
【実施例】
【０００７】
実施例を説明すると、手首の動作に支障を与えない程度の大きさの平面方形の容器１は、両外側面に腕に容器１を着装するバンド２を取り付け、上面に容器１の蓋３を開閉自在に蝶着し、内部の一隅に図２に示す紙挟み具４の一面を固着している。紙挟み具４は公知のもので両面を挟み押えることにより紙を挟持するよう使用されている。この考案では上方となる他面に小犬の顔の印刷シール５が貼着されている。メモ用紙６は紙挟み具４に挟み込まれる。蓋３の内面にはメモずみメモ用紙６の挟み込み用のネット７と清拭用の小紙片を収めた袋８とが付着されている。容器１と蓋３とは係合片９により嵌め外しされ実施例は成っている。
【産業上の利用可能性】
【０００８】
この考案は病院における巡回する看護師にとって広く使用される可能性がある。
【図面の簡単な説明】
【０００９】
【図１】この考案筆記具容器の斜視図。
【図２】メモ用紙挟み具の斜視図。
【符号の説明】
【００１０】
１：容器
２：バンド
３：蓋
４：紙挟み具
５：印刷シール
６：メモ用紙
７：ネット
８：袋
【図１】
0003115174.tif 000003
【図２】
0003115174.tif 000004
(57)【要約】【課題】  高い耐火性能を備え、且つパネル工法等における構造用面材として機能するに十分な強度を有する構造用不燃パネルの提供【解決手段】  木質片を主成分とし、それに不燃性樹脂からなるバインダーを添加して板状に熱圧成形してなる構造用パネル本体２に、不燃性ボード３が一体に貼り合わされてなる構造用不燃パネル。【選択図】  図１
0003115102.tif 000002
【実用新案登録請求の範囲】
【請求項１】
木質片を主成分とし、それに不燃性樹脂からなるバインダーを添加して板状に熱圧成形してなる構造用パネル本体の表面に不燃性ボードが一体に貼り合わされてなる構造用不燃パネル。
【請求項２】
構造用パネル本体の裏面に遮水シートを貼り合せた請求項１に記載の構造用不燃パネル。
【請求項３】
不燃性ボードは、けい酸カルシウム板である請求項１又は２に記載の構造用不燃パネル。
【請求項４】
前記けい酸カルシウム板の表面をエマルション樹脂により被覆し、化粧板用の下地処理を施した請求項３に記載の構造用不燃パネル。
【考案の詳細な説明】
【技術分野】
【０００１】
本考案は、主に家屋等の建物の壁等に使用される構造用不燃パネルに関する。
【背景技術】
【０００２】
従来、防火地域や準防火地域にある家屋等の建物は、建築基準法により一定の耐火基準（性能）を有することが必要とされ、このような耐火建物の壁材にはけい酸カルシウム板や石膏ボード等からなる耐火ボードが使用されている。
【考案の開示】
【考案が解決しようとする課題】
【０００３】
しかし、上述の如き従来の技術では、石膏ボード等の耐火ボード単体では壁強度の基準となる壁倍率が低く、パネル工法等の構造用面材として使用することができない為、軸組工法等の在来工法によって、柱、間柱等の壁枠体間に筋交等を設けなければならず、施工期間の長期化やコストの増大等の問題があった。
【０００４】
そこで本考案は、上述の従来技術の問題を鑑み、高い耐火性能を備え、且つパネル工法等における構造用面材として機能するに十分な強度を有する構造用不燃パネルの提供を目的とする。
【課題を解決するための手段】
【０００５】
上述の如き従来の問題を解決し、所期の目的を達成するための請求項１に記載の考案は、木質片を主成分とし、それに不燃性樹脂からなるバインダーを添加して板状に熱圧成形してなる構造用パネル本体に、不燃性ボードが一体に貼り合わされてなる構造用不燃パネルであることを特徴とする。
【０００６】
請求項２に記載の考案は、請求項１の構成に加え、構造用パネル本体の裏面に遮水シートを貼り合せたことを特徴とする。
【０００７】
請求項３に記載の考案は、請求項１又は２の構成に加え、不燃性ボードは、けい酸カルシウム板であることを特徴とする。
【０００８】
請求項４に記載の考案は、請求項３の構成に加え、前記けい酸カルシウム板の表面をエマルション樹脂により被覆し、化粧板用の下地処理を施したことを特徴とする。
【考案の効果】
【０００９】
本考案に係る構造用不燃パネルは、木質片を主成分とし、それに不燃性樹脂からなるバインダーを添加して板状に熱圧成形してなる構造用パネル本体に、不燃性ボードが一体に貼り合わされたことによって、防火地域、準防火地域又は建築基準法第２２条に規定する指定地域の家屋等の建物に使用される耐火材料として十分な耐火性能を発揮するとともに、パネル壁工法等に使用される構造用面材として十分な耐力を備える。
【００１０】
構造用パネル本体の裏面に遮水シートを貼り合せたことによって、高い防水性が得られ、腐食し難い。
【００１１】
不燃性ボードは、けい酸カルシウム板であることによって、加工性、防腐食性に優れ、更に石膏ボード等に比べて高い壁倍率が得られる。
【００１２】
前記けい酸カルシウム板の表面をエマルション樹脂により被覆し、化粧板用の下地処理を施したことによって、ラス張り、モルタル塗装等の工程を省いて表面に直接タイル等の仕上材又は化粧板を好適に貼り付けることができ、工期を短縮することができる。
【考案を実施するための最良の形態】
【００１３】
次に本考案に係る構造用不燃パネルの実施形態を図に基づいて説明する。
【００１４】
図１は、構造用不燃パネルの一例を示し、図中符号１は構造用不燃パネルである。
【００１５】
この構造用不燃パネル１は、構造用パネル本体２と、不燃性ボード３とを接着剤層４を介して一体に貼り合わせて形成され、高い耐火性能を備えつつパネル工法等の構造用面材として使用できるようになっている。
【００１６】
構造用パネル本体２は、木片を主成分とし、その木片の繊維方向が互いに交差するように木片層を重ね合わせ、それにバインダーを添加して板状に熱圧成形されたＯＳＢ（Ｏｒｉｅｎｔｅｄ  Ｓｔｒａｎｄ  Ｂｏａｒｄ）等の木質ボードにより構成されている。
【００１７】
また、このパネル本体２に使用されるバインダーには、不燃性樹脂が使用され、熱せられても有害な物質を発生しないようになっている。
【００１８】
更に、構造用パネル本体２には、裏面にポリエチレン製の遮水シート５が熱風圧着により貼り合わされ、防水加工がなされている。
【００１９】
接着剤層４は、不燃性樹脂からなる接着剤が使用されている。
【００２０】
不燃性ボード３は、けい酸カルシウム板をもって構成され、その表面にエマルション特殊樹脂の被覆６が施され、タイル等の仕上材や化粧板が貼られる下地処理が施されている。即ち、水の侵入を防ぎ、接着性を向上させ、ラス張り、モルタル塗装等の工程を省いて、タイルを直接不燃性ボードの表面に貼り付けることができるようになっている。
【００２１】
このように構成された構造用不燃パネル１は、パネル本体２のバインダー及び接着剤に不燃性樹脂材を使用し、表面に不燃性ボード３を貼り合わせたことによって全体で不燃材として機能する。
【００２２】
また、不燃性ボード３とＯＳＢ等の構造用パネル本体２とを貼り合せたことにより、強度の基準となる壁倍率が２．５以上となり、パネル壁工法等における構造用面材として十分な耐力を発揮する。ここで壁倍率とは、耐力壁長さ１ｍ当たりの基準耐力（建築基準法においては１３０ｋｇｆ、住宅の品質確保の促進等に関する法律（品確法）においては２００ｋｇｆ）に対する許容耐力の比率を言い、例えば、壁倍率１．０倍であれば許容耐力は１３０ｋｇｆ（２００ｋｇｆ）であり、壁倍率２．０倍であれば許容耐力は２６０ｋｇｆ（４００ｋｇｆ）である。
【００２３】
尚、この構造用不燃パネルは、内外壁等の壁材、床材、屋根材等の建築材に適用することができる。
【図面の簡単な説明】
【００２４】
【図１】本考案に係る構造用不燃パネルの一例を示す断面図である。
【符号の説明】
【００２５】
１  構造用不燃パネル
２  構造用パネル本体
３  不燃性ボード
４  接着剤層
５  遮水シート
６  下地用被覆（エマルション樹脂）
【図１】
0003115102.tif 000003
(57)【要約】【課題】  本考案は、帆立貝の稚貝を中間育成若しくは本育成するための育成篭に使用する垂下綱にオモリ効果を作用させるホタテ篭用ロープを提供するものである。【解決手段】  本考案のホタテ篭用ロープは、前記育成篭１の正方形枠体２の田の字状の交差部に結縛され、前記育成篭１を垂下展開状態に保持するように編地３の頂部に結縛された垂下綱４から構成され、一定長さの垂下綱４に所定間隔で多数の前記育成篭１が連段される。前記垂下綱４は、オモリ効果を持たせるために、海水より比重の大きい材料、例えば金属素材を組み込んで形成させる。海水より比重の大きい材料としては、金属製線材が有効であり、特に鉛線が取り扱い等の便が優れている。なお、前記金属製線材は、中芯として綱と一体に織り込んでも良いし、織り込んだ綱の外側に巻き付けても良いし、すなわち海水中で垂下綱４がオモリとして下方向への力が働くようにすれば良い。【選択図】  図１
0003115105.tif 000002
【実用新案登録請求の範囲】
【請求項１】
田の字状に形成された正方形枠体と、前記正方形枠体を包被し、垂下展開時に正方形枠体の四隅と編地頂部とを結ぶ編地面が四角錐状に緊張展開されるように角目編成された編地とからなり、該育成篭の正方形枠体の田の字状の交差部に結縛され、前記編地を垂下展開状態に保持するように編地の頂部に結縛された垂下綱から構成され、前記垂下綱には一定長さの垂下綱に所定間隔で多数の前記育成篭が垂下連段される育成篭において、前記垂下綱自体にはオモリ効果を持たせるために、海水より比重の大きい材料を組み込んで形成させることを特徴とするホタテ篭用ロープ。
【考案の詳細な説明】
【技術分野】
【０００１】
本考案は、帆立貝の稚貝を中間育成若しくは本育成するための育成篭に使用するホタテ篭用ロープに関する。
【背景技術】
【０００２】
従来、ホタテの篭養殖は、ホタテにストレスを与えないで成長効果を図るためできるだけ潮流がゆるやかで、また荒天時でも波のおだやかな湾内の海域で行われているが、篭の動揺を抑えるために連結された篭の最下部にオモリを付けたり（図２を参照）、太枠を使った重い篭を付けたり（図３を参照）する。
しかし、オモリを付けた場合でも、潮流に吹かれて連段篭が湾曲状となり（図４を参照）中間から上の篭が傾いて、篭の中の貝が不安定になるため成長が遅れる。
さらに、数ヶ月海中にぶら下がっている間にオモリには貝や藻が多量に付着し、篭を洗浄する際に篭の網地を傷めるため、いちいち外さなくてはならず相当な手間が掛かります。
また、この手間をなくすため太枠の重い篭も使っていますが、オモリに比べ下方向への力が分散され、連段の揺れを抑える効果はオモリより少なくなります。
【０００３】
【特許文献１】特許第３５２７４２８号公報
【特許文献２】実公平３−２３０７４号公報
【考案の開示】
【考案が解決しようとする課題】
【０００４】
本考案は、帆立貝の稚貝を中間育成若しくは本育成するための育成篭に使用する垂下綱にオモリ効果を作用させるホタテ篭用ロープを提供するものである。
【課題を解決するための手段】
【０００５】
本考案のホタテ篭用ロープは、田の字状に形成された正方形枠体と、前記正方形枠体を包被し、垂下展開時に正方形枠体の四隅と編地頂部とを結ぶ編地面が四角錐状に緊張展開されるように角目編成された編地とからなり、該育成篭の正方形枠体の田の字状の交差部に結縛され、前記編地を垂下展開状態に保持するように編地の頂部に結縛された垂下綱から構成され、前記垂下綱には一定長さの垂下綱に所定間隔で多数の前記育成篭が垂下連段される育成篭において、前記垂下綱自体にはオモリ効果を持たせるために、海水より比重の大きい材料を組み込んで形成させるものである。
【考案の効果】
【０００６】
本考案のホタテ篭用ロープによれば、帆立貝の稚貝を中間育成若しくは本育成するための育成篭に使用する垂下綱にオモリ効果を作用させるので、荒天時でもホタテ篭の動揺を抑えることができる。
【考案を実施するための最良の形態】
【０００７】
以下、本考案の一実施例を図面に基づいて説明すると、
図１に示すように、育成篭１は、田の字状に形成された正方形枠体２と、前記正方形枠体２を包被し、垂下展開時に正方形枠体２の四隅と編地頂部とを結ぶ編地面が四角錐状に緊張展開されるように角目編成された編地３と、幹綱から海中へ吊下げる垂下綱４とからなる。
本考案のホタテ篭用ロープは、図１に示すように、前記育成篭１の正方形枠体２の田の字状の交差部に結縛され、前記育成篭１を垂下展開状態に保持するように編地３の頂部に結縛された垂下綱４から構成され、一定長さの垂下綱４に所定間隔で多数の前記育成篭１が連段される。
前記垂下綱４は、オモリ効果を持たせるために、海水より比重の大きい材料、例えば金属素材を組み込んで形成させる。
海水より比重の大きい材料としては、金属製線材が有効であり、特に鉛線が取り扱い等の便が優れている。
なお、前記金属製線材は、中芯として綱と一体に織り込んでも良いし、織り込んだ綱の外側に巻き付けても良いし、すなわち海水中で垂下綱４がオモリとして下方向への力が働くようにすれば良い。
【０００８】
このようにして形成されたホタテ篭用ロープは、垂下綱４自体の重みにより下方向に効率よく引張り、連段の育成篭１の振れを抑える効果があるので、振れが少なく帆立貝の生育が良い。
また、垂下綱４自体がオモリ効果を発揮するので、特別なオモリを使用する必要がなく、かつ手間が掛からず作業の合理化が図れ、育成篭１を傷めることなく作業を行うことができる。
【図面の簡単な説明】
【０００９】
【図１】本考案のホタテ篭用ロープを使用した育成篭の斜視図である。
【図２】従来のオモリを使用した育成篭の説明図である。
【図３】従来の太枠を使用した育成篭の説明図である。
【図４】従来の垂下綱を使用した育成篭の説明図である。
【符号の説明】
【００１０】
１  育成篭
２  正方形枠体
３  編地
４  垂下綱
【図１】
0003115105.tif 000003
【図２】
0003115105.tif 000004
【図３】
0003115105.tif 000005
【図４】
0003115105.tif 000006